(57)【特許請求の範囲】
【請求項１】
本体側の電動送風機と本体側の集塵室とを有する掃除機本体と、被掃除面に対面して設けられた吸口体側の開口部が延長管を介して接続される前記掃除機本体の前記本体側の集塵室に連通する吸口体を備え、前記吸口体には吸口体側の電動送風機と該電動送風機とフィルタおよび空気通路を介して連通する吸口体側の集塵室が設けられ、前記吸口体を前記掃除機本体から切り離し使用可能な構成であって、前記吸口体を掃除機本体の前記本体側の集塵室に接続して使用するときに吸引される空気を前記吸口体側の集塵室内を通過させて該集塵室内の塵埃を前記本体側の集塵室に搬送させる電気掃除機において、
前記吸口体に設けられた前記吸口体側の集塵室のブラシ室側の壁と該壁と対向する壁にそれぞれ開口部を設け、前記ブラシ室側の壁に設けた開口部と該ブラシ室側の壁と対向する壁に設けた開口部は、前記吸口体側の集塵室の吸口体長手方向に平行な中心線を含む平面にそれぞれ投影したときに両投影面が少なくとも部分的に重なるように配置した開口部であることを特徴とする電気掃除機。
【請求項２】
請求項１において、前記ブラシ室側の壁と対向する壁に設けた前記開口部の空気の流れ方向に対する中心軸は、前記ブラシ室側の壁に設けた前記開口部の空気の流れ方向に対する中心軸よりも吸口体内に設けた吸口体側の電動送風機側であることを特徴とする電気掃除機。
【請求項３】
請求項１において、前記ブラシ室側の壁と対向する壁に設けた前記開口部および前記ブラシ室側の壁に設けた前記開口部には開閉自在な弁を設けてなることを特徴とする電気掃除機。
【発明の詳細な説明】
【０００１】
【発明の属する技術分野】
本発明は、電気掃除機に係り、特に電動送風機で発生した空気の流れを利用して集塵室に塵埃を集めて掃除を行う電気掃除機に関する。
【０００２】
【従来の技術】
従来、スティック形と呼ばれる電気掃除機として、特開平２０００−２１７７５７号公報に記載された構成のものが知られている。すなわち、吸口ベースに起立させた隔壁によって区画された前側部分に吸口カバーによって開閉可能に覆われるブラシ室を形成して回転ブラシを収容している。そして、後側部分に集塵部と電動送風機を横方向に並べて取り付け、側面に吸い込み口を開口させたカップ状の集塵ボックスは、集塵部受け部を支えにして横倒し形態に着脱自在とし、吸い込み通路の後端に吸い込み口を密に連通させる構成である。また集塵フィルタは、集塵ボックス内に偏心状態に収容する構成である。
【０００３】
また、特開平９−１９２０５６号公報、特開平９−１９２０５９号公報、特開平９−１９２０６２号公報がある。これらは、車輪を備えた床上走行ヘッドと、このヘッドに回動自在に連結された細長いハンドルとを有しており、ヘッドは２つのモーターを有し、モーターの一方は羽根車に他方は回転ブラシに連結されている。ヘッドはモーターに電気を供給するための再充電可能なバッテリーと３位置電気スイッチとを有していて、空気ろ過器とほこりごみ収集カップとを含む真空掃除機の作業要素の全てが床上走行ヘッドの中にあり、ハンドルは作業要素を全く有していない電気掃除機が提案されている。
【０００４】
【発明が解決しようとする課題】
このような小型の電気掃除機は、小型に構成しなければならないことから、集塵室の小型化が課題となる。これに伴って、集塵フィルタの断面積も小さくなる。したがって、集塵室は小型で、かつ内部に塵埃を効率的に蓄積させ、集塵フィルタの塵埃による目詰まりを防ぐ事が望ましい。しかも、通風路は通風抵抗も小さく、使用時の騒音も小さいことが望まれている。
【０００５】
本発明の目的は、小型の電気掃除機を実現すべく、電動送風機と集塵室を備えた掃除機本体と、電動送風機と集塵室を備えた吸口体を備え、前記吸口体は、前記掃除機本体に延長管を介して接続して使用したり、掃除機本体から切り離して使用可能に構成した電気掃除機において、掃除機本体に延長管を介して接続した使用状態における前記吸口体の空気の流れによる騒音の発生を軽減することにより、使い勝手のよい小型の掃除機を提供することにある。
【０００６】
【課題を解決するための手段】
本発明は、本体側の電動送風機と本体側の集塵室とを有する掃除機本体と、被掃除面に対面して設けられた吸口体側の開口部が延長管を介して接続される前記掃除機本体の前記本体側の集塵室に連通する吸口体を備え、前記吸口体には吸口体側の電動送風機と該電動送風機とフィルタおよび空気通路を介して連通する吸口体側の集塵室が設けられ、前記吸口体を前記掃除機本体から切り離し使用可能な構成であって、前記吸口体を掃除機本体の前記本体側の集塵室に接続して使用するときに吸引される空気を前記吸口体側の集塵室内を通過させて該集塵室内の塵埃を前記本体側の集塵室に搬送させる電気掃除機において、
前記吸口体に設けられた前記吸口体側の集塵室のブラシ室側の壁と該壁と対向する壁にそれぞれ開口部を設け、前記ブラシ室側の壁に設けた開口部と該ブラシ室側の壁と対向する壁に設けた開口部は、前記吸口体側の集塵室の吸口体長手方向に平行な中心線を含む平面にそれぞれ投影したときに両投影面が少なくとも部分的に重なるように配置した開口部としたことを特徴とする。
【０００７】
そして、前記ブラシ室側の壁と対向する壁に設けた前記開口部の空気の流れ方向に対する中心軸は、前記ブラシ室側の壁に設けた前記開口部の空気の流れ方向に対する中心軸よりも吸口体内に設けた吸口体側の電動送風機側であることを特徴とする。
【０００８】
また、前記ブラシ室側の壁と対向する壁に設けた前記開口部および前記ブラシ室側の壁に設けた前記開口部には開閉自在な弁を設けてなることを特徴とする。
【００１０】
【発明の実施の形態】
以下本発明による実施の形態例について、図面を参照して説明する。
図１は、本発明の実施形態例に係る全体構成を表わす図２の、吸口体１０６の上ケースおよび吸口カバーを取り除いた状態の上面図である。図２は本発明の一実施の形態例に係る電気掃除機の外観図を示す。図２は、大きく分けて、吸口体１０６と延長管１０５と、吸口体１０６を操作するハンドルグリップ１０３から構成されている。なお、前記ハンドルグリップ１０３には、掃除機の運転を切り替える手元スイッチ１０４を備えており、前記延長管１０５には、再充電可能な電池１０７を設けている。本実施形態では、ハンドルグリップ１０３は延長管１０５と別体に構成され、延長管１０５から自由に切り離したりあるいは接続したりすることができる。１０８は光リモコン発光部であり、２０７は吸口体１０６から脱着可能な集塵室を表している。
【００１１】
図１において、２０１は回転清掃体，２０２は回転清掃体２０１を駆動するための電動機，２０３は回路基板，２０４は駆動ベルト、２２０は電動送風機で、送風機２０６と該送風機２０６を駆動する電動機２０５から構成されている。２０７は吸口体１０６から脱着可能な集塵室、２０８はフィルタである。ここで、塵埃を含んだ空気は、ブラシ室２２２から集塵室２０７に流入し、前記集塵室２０７内で塵埃と空気に分離される。
【００１２】
本実施例では図１に示すように、吸口体１０６内に電動送風機２２０が配置されている。電動送風機２２０は、被掃除面に対面する開口部２２１の長手方向（吸口体１０６の長手方向）に対し、前記電動送風機２２０の回転軸２２３が平行になるように配置され、前記集塵室２０７から前記電動送風機２２０に連通する空気通路２２４を設けている。図１では、空気通路２２４の入口面における中心軸２２４ａの位置を、前記開口部２２１の長手方向（吸口体１０６の長手方向）に平行な集塵室の中心軸２０７ａよりも、ブラシ室２２２側に位置するように配置したことに特徴がある。
【００１３】
本発明は上記構成のため、空気はブラシ室２２２から集塵室２０７、フィルタ２０８、空気通路２２４の順に急転向して流れる（図の矢印Ａ）。これに対して、吸いこまれた塵埃は空気より密度が大きいため、空気のように急転向できない。したがって、前記集塵室２０７に流入した際の慣性力により、前記集塵室２０７の反ブラシ室側へ流れ（図の矢印Ｂ）、前記集塵室２０７の反ブラシ室側から順に塵埃が蓄積されていく。したがって、塵埃が集塵室２０７に蓄積されていく際に、前記電動送風機２２０に連通する空気通路２２４は塵埃の目詰まりによる通風抵抗の増加を防止することができる。また塵埃によるフィルタ２０８の目詰まりを防止することができる。空気通路２２４の入口面におけるの中心２２４ａの位置が、集塵室の中心軸２０７ａよりも、ブラシ室２２２側に位置することによって集積室における塵埃の蓄積容積を大きくとることができる。
【００１４】
したがって、効果的に塵埃の蓄積ができ、集塵室２０７を小型化することができる特徴がある。また、通風抵抗の増加を防げるので、集塵室２０７に塵埃が溜まった状態でも電動送風機２２０の風の流通が確保され、高集塵化が図れることになる。
【００１５】
ここで、前記集塵室２０７から前記電動送風機２２０に連通する空気通路２２４の入口側２２４ｂを出口側２２４ｃに比べブラシ室２２２側に配置することによって、空気通路入口に影響を与えないで塵埃の蓄積ができる集塵室の容積を確保することができるから、同様に集塵室の効率化をはかることができる。
【００１６】
さらに、前記電動送風機２２０の回転軸２２３と直行する前記集塵室２０７の入り口中心軸（２０７ｂ）に比べ、集塵室２０７の開口部２５３ａの中心軸（２０７ｃ）を反電動送風機側（空気通路の反入口側）にシフトして配置すると、塵埃が集塵室２０７に蓄積していく際に、前記電動送風機２２０に連通する空気通路２２４は塵埃の目詰まりによる通風抵抗の増加を防げること、あるいは少なくとも軽減することができる効果がある。
【００１７】
なお、前記集塵室２０７は吸口体１０６から脱着可能に構成しており、前記集塵室２０７からフィルタ２０８を取り外して、前記集塵室２０７から塵埃を容易に捨てる事ができる。
【００１８】
次に、本発明の第２の実施例について図３を用いて説明する。図３は前記図１の他の実施例に該当し、吸口体１０６の上ケースおよび吸口カバーを取り除いた状態の上面図である。図３に示すように、吸口体１０６内に、電動送風機２２０は、被掃除面に対面する開口部２２１の長手方向（吸口体１０６の長手方向）に対し前記電動送風機２２０の回転軸２２３が平行に配置されており、集塵室２０７から前記電動送風機２２３に連通する空気通路２２４の入口側へと続くように、整流板２４０を前記集塵室内２０７へ突出させた例を示している。
【００１９】
この場合は、上記構成のため、ブラシ室２２２から集塵室２０７、フィルタ２０８、空気通路２２４の順に急転向して空気が流れる（図の矢印Ａ）のに対し、塵埃は空気より密度が大きく空気のように急転向できず、前記集塵室２０７に流入した際の慣性力により、前記集塵室２０７の反ブラシ室側へ流れる（図の矢印Ｂ）。そして、前記集塵室２０７の反ブラシ室側から順に塵埃が蓄積する。この際、反ブラシ側等で発生する２次流れにより、蓄積した塵埃が舞い上げられ、前記空気通路２２４に流入するのを整流板２４０により防いでいる。
【００２０】
したがって、塵埃が集塵室２０７に蓄積していく際に、前記電動送風機２２０に連通する空気通路２２４は塵埃の目詰まりによる通風抵抗の増加を軽減することができる。その結果、小型の集塵室２０７でも効果的に塵埃を蓄積することができ、かつ通風抵抗の増加を防ぐこと、あるいは少なくとも軽減することができるので、集塵室２０７に塵埃が溜まった状態でも電動送風機２２０の風量が確保され、高集塵化が図れる。
【００２１】
なお、図３に示したように、空気通路２２４の入口側を前記集塵室内２０７へ突出させたものにフィルタ２０８を配置しても良い。さらに、前記電動送風機２２０の回転軸２２３と直行する前記集塵室２０７の中心軸に比べ、集塵室２０７の開口部２５３ａを反電動送風機側に配置すると、塵埃が集塵室２０７に蓄積していく際に、前記電動送風機２２０に連通する空気通路２２４は塵埃の目詰まりによる通風抵抗の増加を防げること、あるいは少なくとも軽減することができる効果がある。
【００２２】
なお、前記集塵室２０７は吸口体１０６から脱着可能に構成していて、前記集塵室２０７からフィルタ２０８を取り外して、前記集塵室２０７から塵埃を容易に捨てることができる。
【００２３】
また、図４の（Ａ），（Ｂ）に図３に示した前記整流板２４０の取り付けの変形例を示す。図４の（Ａ）は整流板２４０を、空気通路２２４を延長した形で取り付けた場合である（ｂ１＝ｂ２）。整流板を別体に作成して取り付けてもよいが、この場合は、空気流路と一体に作成することもできる。また、図４の（Ｂ）の場合は図３の場合の変形例であって、整流板を直角に集塵室に突出している長さを、ｂ１＞ｂ２にしたことに特徴がある。この場合は、図３における空気の流れＡに対して、なるべく抵抗を小さくする構成にしている。また、反吸口部の集塵部からの塵埃が空気通路に流入する側は抵抗を大きくしている。これによって、空気の抵抗を低減し、塵埃に対する空気流路への流入抵抗を大きくすることができる。図４の（Ａ）においても、ｂ１＞ｂ２とすることによって、図４の（Ｂ）の場合と同様の効果が期待できる。蓄積された塵埃の、空気通路への流れ込みを抑制できる効果がある。
【００２４】
次に、本発明の第３の実施形態例ついて説明する。図５は、本発明の他の実施形態例に係る電気掃除機の外観図である。図５において、１０１は電気掃除機本体、１０２はホース体、１０３はハンドルグリップ、１０４は手元スイッチ、１０５は延長管、１０６は被掃除面に対面する開口部を有する吸口体、１０７は再充電可能な電池、１０８は光リモコン発光部、１０９は本体側光リモコン受光部、１１０は吸口体側の光リモコン受光部である。電気掃除機本体の外郭を形成する本体ケーシングの内側には、吸引力を発生する電動送風機１１２と、この電動送風機１１２の吸引側には集塵室１１１が設けられている。
【００２５】
図５に示すように、電動送風機１１２と集塵室１１１とを有する掃除機本体１０１と、被掃除面に対面する開口部を有して前記集塵室１１１に連通する吸口体１０６とを備え、吸口体１０６側にも電動送風機２２０および集塵室２０７を設け、前記吸口体１０６側を、前記掃除機本体１０１から切り離して使用することが可能な電気掃除機である。
【００２６】
本実施形態では、掃除機本体１０１と吸口体１０６とを備えた電気掃除機において、以下のように構成されている。掃除機本体１０１側に第１の電動送風機１１２と集塵室１１１とを設ける。吸口体１０６側に第２の電動送風機２２０、および集塵室２０７を設ける。そして吸口体１０６側を掃除機本体１０１側から切り離して独立して使用できるようにする。また吸口体１０６側を掃除機本体１０１側に接続して使用する場合は、吸口体１０１側の集塵室２０７と掃除機本体側の集塵室１１１とが塵埃の搬送が可能な空気通路（延長管１０５、ホース体１０２）で接続されるようにし、掃除機本体１０１側に設けた電動送風機１１２で吸口体１０６側の集塵室２０７から掃除機本体１０１側の集塵室１１１へ塵埃を搬送できるように構成している。
【００２７】
前記吸口体１０６に備えた集塵室２０７を図６の（Ａ）、（Ｂ）に示す。図６の（Ａ）において、前記集塵室２０７のブラシ室２２２側の壁２５１と該壁と対向する壁２５２にそれぞれ開口部２５３ａ、２５３ｂを設けている。
【００２８】
また、前記電動送風機２２０の回転軸２２３に垂直な平面で前記吸口体１０６を切断した断面図を図８に示す。ここで、床面に対し垂直で、前記電動送風機２２０の回転軸２２３に平行で、前記集塵室２０７の中心線を含む平面３００に、開口部２５３ａを投影した投影部２５３ｃと、開口部２５３ｂを投影した投影部２５３ｄが少なくとも部分的に重なるように両開口部を配置している。
【００２９】
前記構成により吸口体１０６側を掃除機本体１０１側に接続して使用する場合、空気が、ブラシ室２２２から、前記集塵室２０７のブラシ室２２２側の壁２５１に設けた開口部２５３ａ、前記集塵室２０７、前記集塵室２０７のブラシ室２２２側の壁と対向する壁２５２に設けた開口部２５３ｂの順に流れるので、空気の流れを急転向させることなく使用できる。したがって、騒音の発生を防ぐことができる効果がある。
【００３０】
また、塵埃がブラシ室２２２から集塵室２０７を通過する際に、塵埃が引っかかることを防ぐことができる。また、硬い塵埃が前記集塵室２０７の壁２５２に衝突して、壁面を傷つけることも少なくすることが出きる。ここで、前記集塵室２０７の開口部２５３ａの断面積を４〜８平方センチメートルの間でほぼ一定ととすれば、吸口体１０６側を掃除機本体１０１側に接続して使用する高風量時も、延長管１０５、ホース１０２内の風速と、同程度の風速にすることができ、騒音の増加を抑制することができる。
【００３１】
また、前記集塵室２０７の開口部２５３ａの断面積を、開口部２５３ｂの断面積以下とすれば、吸口体１０６側を掃除機本体１０１側から切り離して、独立して使用したときに、集塵室２０７まで吸引して溜めた塵埃を、吸口体１０６側を掃除機本体１０１側に接続して使用した際に、掃除機本体１０１側に設けた集塵室１１１まで搬送することができる。
【００３２】
ここで、図６の（Ａ）では、前記ブラシ室２２２側に設けた開口部２５３ａを、この開口部２５３ａに対向する開口部２５３ｂに比べて、床面側に設けている。図では、Ｃの距離とＤの距離を比べた場合Ｃの方が小さい（Ｃ＜Ｄ）。
【００３３】
また、図６の（Ｂ）は前記図６の（Ａ）の場合とは反対に、前記ブラシ室２２２側に設けた開口部２５３ａに対し、この開口部２５３ａに対向する開口部２５３ｂを床面側に設けている。図では、Ｃの距離とＤの距離を比べた場合ＣがＤ以上の（Ｃ≧Ｄ）のときには、吸口体１０６側に設けた集塵室２０７の開口部２５３ａの床面側から離すことができる。したがって、集塵室２０７に吸込んだ塵埃を開口部２５３ａからこぼれ難くすることができる。特に、前記集塵室２０７に塵埃がいっぱいになっているような場合、床面に塵埃が溢れ出るのを防止できる効果がある。
【００３４】
また、吸口体１０６側を掃除機本体１０１側から切り離して独立して使用した場合、前記集塵室２０７の開口部２５３ａの床面側からの高さを高くすることができるので、集塵室の集塵容量を実質的に増やすことができる効果もある。すなわち、集塵室２０７の上面近くまで塵埃を溜めることができるから、見かけ上集塵室の容積を増加したのと等価である。また、見方を変えれば集塵室の小型化を図ることができる。
【００３５】
この場合も、前記のように平面３００に、開口部２５３ａを投影した投影部２５３ｃと、開口部２５３ｂを投影した投影部２５３ｄが少なくとも部分的に重なるように両開口部を配置する。そしてこのような構成にすることにより、前記と同様に騒音の発生を抑制することができる。さらに、吸引した塵埃が、開口部２５３ｂから延長管１０５側にこぼれた場合には、塵埃は、吸口体１０６側を掃除機本体１０１側に接続して使用する場合に、塵埃は掃除機本体１０１側に設けた集塵室１１１まで搬送されるので、床面にまき散らされることはない。床面にこぼれ出難い状態とする効果が期待できる。
【００３６】
本発明は上記構成のため、吸口体１０６側を掃除機本体１０１側から切り離して独立して使用した場合、吸口体１０６に設けた電動送風機２２０は、小型かつ充電可能な電池１０７により駆動されるので、大きな風量や静圧を出すことができない場合がある。そこで、前記ブラシ室２２２側に設けた開口部２５３ａは、床面から近い距離に配置することで、低風量時でも床面から吸い上げた塵埃を前記集塵室２０７へと搬送させることができる。
【００３７】
これに対し、吸口体１０６側を掃除機本体１０１側に接続して使用する場合は、前記掃除機本体１０１に設けた電動送風機１１２は、商用のＡＣ電源を用いて駆動させることができるので、高風量、高圧力化を図ることができる。このため、吸口体１０６側を掃除機本体１０１側に接続して使用する場合、開口部２５３ａに対向する開口部２５３ｂ側を吸口体１０１側の集塵室２０７と掃除機本体側の集塵室１１１とが塵埃の搬送が可能な空気通路（延長管１０５、ホース体１０２）側に設ければ、前記吸口体１０６側の集塵室２０７から掃除機本体１０１側の集塵室１１１まで塵埃を搬送することができる。
【００３８】
なお、前記集塵室２０７のブラシ室２２２側の開口部２５３ａには、前記集塵室２０７の内向きに開く弁体２０９ａを、前記開口部２５３ｂには、集塵室２０７の外向きに開く弁体２０９ｂを設けると、前記集塵室２０７から塵埃がこぼれにくく、かつ吸口体１０６側を掃除機本体１０１側に接続して使用する場合に、吸口体１０６側の前記集塵室２０７から、掃除機本体１０１側の集塵室１１１側へ塵埃を搬送することができる。
【００３９】
さらに、前記電動送風機２２０の回転軸２２３と直行する前記集塵室２０７の中心軸に比べ、集塵室２０７の開口部２５３ａを反電動送風機側に配置すると、塵埃が集塵室２０７に蓄積していく際に、前記電動送風機２２０に連通する空気通路２２４は塵埃の目詰まりによる通風抵抗の増加が防げる。
【００４０】
また、フィルタ２０８を前記集塵室２０７の開口部２５３ａと開口部２５３ｂを結ぶ線上より前記集塵室２０７の中心側に突出しないように配置する。この結果、吸口体１０６側を掃除機本体１０１側に接続して使用する場合において、前記集塵室２０７の開口部２５３ａから流入した塵埃を、前記フィルタ２０８にからむことなく前記掃除機本体１０１の集塵室１１１まで搬送する事ができる。
【００４１】
これらの弁体は、ゴムによるものや、プラスティックによる板ばね等の、弾性体を用いればよい。なお、前記２０７集塵室は吸口体１０６から脱着可能に構成しており、前記集塵室２０７からフィルタ２０８を取り外して、前記集塵室２０７から塵埃を容易に捨てることができる。
【００４２】
また、この集塵室は図４の（Ｃ）に示したような変形例が考えられる。開口部２５３ａの中心と、開口部２５３ｂの中心をずらしている例である。そして開口部２５３ａおよび２５３ｂ部にはそれぞれＲ１〜Ｒ４のように曲率部分を設けて空気の流れに対する抵抗および渦流の発生を防止した構造の例を示している。
【００４３】
次に、本実施形態では、図７に示すように、吸口体１０６側の電動送風機２２０の下流側に配置した排気口２５４付近に、開閉自在の排気弁２５５を設けている。本発明は上記構成のため、吸口体１０６側を掃除機本体１０１側から切り離して独立して使用した場合、吸口体１０６に設けた電動送風機２２０からの排気Ｅは、排気口２５４を通じて外部に排気される。
【００４４】
これに対し、吸口体１０６側を掃除機本体１０１側に接続して使用する場合は、前記掃除機本体１０１に設けた電動送風機１１２により、吸引される空気Ｆにより、排気弁２５５は完全に、またはほぼ閉じられる。
【００４５】
前記排気弁２５５を完全に閉じるように設ければ、前記掃除機本体１０１に設けた電動送風機１１２により、排気口２５４からの逆流空気Ｇによる吸口体１０６の吸い込み口からの空気Ｆの風量の低下を防ぐことができ、吸口体１０６内を高真空に保つことができるので、高集塵化が図れる。また、前記排気口２５４からの逆流により吸口体１０６に設けた電動送風機２２０の逆回転による電動機２０５の寿命の低下を防ぐことができる。
【００４６】
また、排気弁２５５をほぼ閉じて、少しの空気の流れＧのみを逆流させるようにすれば、上記の前記排気口２５４からの逆流により吸口体１０６に設けた電動送風機２２０の逆回転による電動機２０５の寿命の低下を防ぐことができる。さらに、フィルタ２０８に絡みついた塵埃を掃除機本体１０１に設けた集塵室１１１まで搬送することができ、フィルタ２０８のセルフリフレッシュが可能となる。すなわち、ＡＣ電源による電動送風機１１２を駆動して使用することによって、フィルタ２０８のリフレッシュができる。また、排気口２５４からの逆流による吸口体１０６の、吸い込み口の風量の低下を小さくし、吸口体１０６内を高真空に保つことができるので、高集塵化を図ることができる。
【００４７】
以上に述べたように、本発明によれば、本体側の電動送風機と本体側の集塵室とを有する掃除機本体と、被掃除面に対面して設けられた吸口体側の開口部が延長管を介して接続される前記掃除機本体の前記本体側の集塵室に連通する吸口体を備え、前記吸口体には吸口体側の電動送風機と該電動送風機とフィルタおよび空気通路を介して連通する吸口体側の集塵室が設けられ、前記吸口体を前記掃除機本体から切り離し使用可能な構成であって、前記吸口体を掃除機本体の前記本体側の集塵室に接続して使用するときに吸引される空気を前記吸口体側の集塵室内を通過させて該集塵室内の塵埃を前記本体側の集塵室に搬送させる電気掃除機において、
前記吸口体に設けられた吸口側の集塵室のブラシ室側の壁と該壁と対向する壁にそれぞれ開口部を設け、前記ブラシ室側の壁に設けた開口部と該ブラシ室側の壁と対向する壁に設けた開口部は、前記吸口体側の集塵室の吸口体長手方向に平行な中心線を含む平面にそれぞれ投影したときに両投影面が少なくとも部分的に重なるように配置した開口部としたことにより、掃除機本体に延長管を介して接続した使用状態における前記吸口体の空気の流れによる騒音の発生を軽減して使い勝手のよい小型の掃除機を実現することができる。
【００４８】
また、掃除機本体側の電動送風機を使用することによって、吸口体側のフィルタのリフレッシュを行うことができる効果がある。
【００４９】
【発明の効果】
本発明によれば、本体側の電動送風機と本体側の集塵室とを有する掃除機本体と、被掃除面に対面して設けられた吸口体側の開口部が延長管を介して接続される前記掃除機本体の前記本体側の集塵室に連通する吸口体を備え、前記吸口体には吸口体側の電動送風機と該電動送風機とフィルタおよび空気通路を介して連通する吸口体側の集塵室が設けられ、前記吸口体を前記掃除機本体から切り離し使用可能な構成であって、前記吸口体を掃除機本体の前記本体側の集塵室に接続して使用するときに吸引される空気を前記吸口体側の集塵室内を通過させて該集塵室内の塵埃を前記本体側の集塵室に搬送する電気掃除機において、掃除機本体に延長管を介して接続した使用状態における前記吸口体の空気の流れによる騒音の発生を軽減して使い勝手のよい小型の掃除機を実現することができる。
【図面の簡単な説明】
【図１】本発明の一実施の形態例に係る吸口体の上面図である。
【図２】本発明の一実施の形態例に係る電気掃除機の外観図である。
【図３】本発明の一実施の形態例に係る吸口体の上面図である。
【図４】本発明における整流板の取り付けおよび集塵室の構造の変形例を説明する図である。
【図５】本発明の一実施の形態例に係る電気掃除機の外観図である。
【図６】本発明の一実施の形態例に係る吸口体に備えた集塵室の図である。
【図７】本発明の一実施の形態例に係る吸口体の上面図である。
【図８】本発明の一実施の形態例に係る電動送風機の回転軸に垂直な平面で吸口体を切断した断面図である。
【符号の説明】
１０１…掃除機本体  １０２…ホース体  １０３…ハンドル部  １０４…スイッチ  １０５…延長管  １０６…吸口体  １０７…電池  ２０２…電動機  ２０６…送風機  １１１、２０７…集塵室  ２０８；フィルタ  ２０９ａ、２０９ｂ；弁体  ２２０；電動送風機  ２２１；開口部  ２２２；ブラシ室  ２２３；回転軸  ２２４；空気通路  ２４０；整流板  ２５３ａ、２５３ｂ；開口部  ２５３ｃ、２５３ｄ；投影部  ２５４；排気口  ２５５；排気弁
【図１】
0003723104.tif 000002
【図２】
0003723104.tif 000003
【図３】
0003723104.tif 000004
【図４】
0003723104.tif 000005
【図５】
0003723104.tif 000006
【図６】
0003723104.tif 000007
【図７】
0003723104.tif 000008
【図８】
0003723104.tif 000009